Podtech/llm-jp-corpus-v4-ja_patent huggingface dataset:
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
メモリセルアレイと、
クロックに同期して供給されるアドレスをデコードして前記メモリセルアレイのメモリセルを選択するデコード回路と、
前記メモリセルアレイのデータが転送される複数のメインデータ線対と、
各メインデータ線対毎に設けられた、ラッチ回路を内蔵するデータ線バッファと、
各データ線バッファのデータをデータ入出力端子に転送するための複数の周辺データ線とを備え、
前記メモリセルアレイから読み出されたデータ入出力端子当たり複数ビットのデータが前記メインデータ線対を介して前記データ線バッファに並列転送され、その複数ビットのデータのうち先頭データが前記ラッチ回路をスルーして前記周辺データ線に転送される間、後続データが前記ラッチ回路に一時保持され、その後先頭データと同じ周辺データ線に転送されるようにした
ことを特徴とする同期型半導体記憶装置。
【請求項２】
前記データ線バッファは、前記クロックによりタイミング制御されて発生される活性化信号により動作するデータ線センスアンプを有し、
前記ラッチ回路は前記データ線センスアンプに接続されて前記活性化信号をラッチ信号として動作する
ことを特徴とする請求項１記載の同期型半導体記憶装置。
【請求項３】
前記ラッチ回路は、
前記データ線センスアンプの活性化信号をラッチ信号として動作するラッチ回路本体と、
このラッチ回路本体の保持データを前記周辺データ線に転送するための、最下位カラムアドレスに同期してデータ出力が制御されるドライバとを有する
ことを特徴とする請求項２記載の同期型半導体記憶装置。
【請求項４】
前記周辺データ線は、１ビットデータ当たり１本の単線構成であり、一つのデータ入出力端子当たり２ビットのデータが前記データ線バッファに並列に転送され、その２ビットのデータが一本の周辺データ線に時分割で転送される
ことを特徴とする請求項１記載の同期型半導体記憶装置。
【請求項５】
前記周辺データ線は、１ビットデータ当たり１対の相補信号線構成であり、一つのデータ入出力端子当たり２ビットのデータが前記データ線バッファに並列に転送され、その２ビットのデータが一対の周辺データ線に時分割で転送される
ことを特徴とする請求項１記載の同期型半導体記憶装置。
【請求項６】
複数本ずつのビット線とワード線が交差して配設され、それらの交差部にダイナミック型メモリセルが配置されたメモリセルアレイと、
クロックに同期して供給されるアドレスをデコードして前記メモリセルアレイのワード線及びビット線を選択するデコード回路と、
このデコード回路により選択されて前記メモリセルアレイから読み出されるデータ入出力端子当たり複数ビットのデータが並列に転送される複数のメインデータ線対と、
各メインデータ線対に設けられて、前記クロックの１周期内で前記並列に転送された複数ビットのデータをセンスして時分割で出力するようにタイミング制御される複数のデータ線バッファと、
これらのデータ線バッファから時分割で出力される複数ビットデータを共通のデータ入出力端子にシリアルに転送する複数の周辺データ線と
を備えたことを特徴とする同期型半導体記憶装置。
【請求項７】
アドレスによって選択された複数ビットのデータのプリフェッチが可能なメモリコアと、
前記メモリコアからの前記複数ビットのデータの１ビットをそれぞれ出力する複数のメインデータ線と、
対応する前記メインデータ線の一つとそれぞれ接続される複数のラッチ回路と、
前記複数のラッチ回路のそれぞれの出力側と接続されると共にＩ／Ｏ端子と接続される周辺データ線とを備え、
所定の１ビット以上のカラムアドレスを基にして、前記複数ビットのデータをクロックの１周期内で続けて前記周辺データ線へ出力するように、前記複数のラッチ回路は配列されている
ことを特徴とする同期型半導体記憶装置。  
【請求項８】
複数ビットのデータをプリフェッチするために、メモリコアにアドレスを与えるステップと、
プリフェッチされた複数ビットのデータのそれぞれを各ラッチ回路で保持するステップと、
続いて、クロックの１周期内で１ビットデータを前記各ラッチ回路から周辺データ線へシリアルに出力するために、各カラムアドレスの所定ビットと対応した各制御信号によって前記各ラッチ回路を開けるステップと、を備えるようにした
ことを特徴とする同期型半導体記憶装置のデータ転送方法。
【手続補正２】
【補正対象書類名】明細書
【補正対象項目名】００１１
【補正方法】変更
【補正の内容】
【００１１】
この発明によると、複数ビット同時並列的にメインデータ線に転送されるデータを、データ線バッファにおいて時分割で共通の周辺データ線に転送するように構成することで、データ転送サイクルを高速化しながら、周辺データ線の本数を削減することができ、これによりチップサイズを縮小することができる。
この発明の他の態様は、アドレスによって選択された複数ビットのデータのプリフェッチが可能なメモリコアと、前記メモリコアからの前記複数ビットのデータの１ビットをそれぞれ出力する複数のメインデータ線と、対応する前記メインデータ線の一つとそれぞれ接続される複数のラッチ回路と、前記複数のラッチ回路のそれぞれの出力側と接続されると共にＩ／Ｏ端子と接続される周辺データ線とを備え、所定の１ビット以上のカラムアドレスを基にして、前記複数ビットのデータをクロックの１周期内で続けて前記周辺データ線へ出力するように、前記複数のラッチ回路は配列されていることを特徴とする同期型半導体記憶装置である。 
この発明のさらに他の態様は、複数ビットのデータをプリフェッチするために、メモリコアにアドレスを与えるステップと、プリフェッチされた複数ビットのデータのそれぞれを各ラッチ回路で保持するステップと、続いて、クロックの１周期内で１ビットデータを前記各ラッチ回路から周辺データ線へシリアルに出力するために、各カラムアドレスの所定ビットと対応した各制御信号によって前記各ラッチ回路を開けるステップと、を備えるようにしたことを特徴とする同期型半導体記憶装置のデータ転送方法である。
【手続補正書】
【提出日】平成16年6月3日(2004.6.3)
【手続補正１】
【補正対象書類名】明細書
【補正対象項目名】発明の名称
【補正方法】変更
【補正の内容】
【発明の名称】分散安定化機能性金属微粒子及び半導体微粒子およびその製造方法
【手続補正書】
【提出日】平成16年10月26日(2004.10.26)
【手続補正１】
【補正対象書類名】明細書
【補正対象項目名】００５７
【補正方法】変更
【補正の内容】
【００５７】
バックコート層（５）は、ポリウレタン、ニトロセルロース、ポリエステル、カーボンおよび炭酸カルシウム等から選ばれる１つもしくは複数の材料により形成される層であり、その厚さは約５００nmとすることが好ましい。バックコート層は、例えば、前記材料を適当な溶媒（例えば、トルエンとメチルエチルケトンの混合溶媒）に溶解および分散させた塗布液を非磁性基板の強磁性金属薄膜が形成された面とは反対の面に塗布した後、乾燥して溶媒を蒸発させる湿式塗布法により形成できる。
【手続補正２】
【補正対象書類名】明細書
【補正対象項目名】００９９
【補正方法】変更
【補正の内容】
【００９９】
（比較例８）
２３℃、５５％ＲＨ環境下において、塗布液をリバースロールコータを用いて湿式塗布法で塗布したこと以外は、実施例１と同様の方法で磁気テープ試料を作製した。
【手続補正書】
【提出日】平成17年7月5日(2005.7.5)
【手続補正１】
【補正対象書類名】明細書
【補正対象項目名】発明の名称
【補正方法】変更
【補正の内容】
【発明の名称】農産物・園芸産物の鮮度保持剤
【手続補正２】
【補正対象書類名】明細書
【補正対象項目名】特許請求の範囲
【補正方法】変更
【補正の内容】
【特許請求の範囲】
【請求項１】
有機酸と炭酸水素塩とを含有することを特徴とする農産物・園芸産物の鮮度保持剤。
【請求項２】
有機酸が、農産物・園芸産物から発生する水分の存在下で炭酸水素塩と反応して徐々に炭酸ガスを発生させる有機酸である請求項１に記載の農産物・園芸産物の鮮度保持剤。
【請求項３】
有機酸と炭酸水素塩との混合比が、重量比で１：０．１〜１：５の範囲である請求項１に記載の農産物・園芸産物の鮮度保持剤。
【請求項４】
炭酸水素塩が、炭酸水素ナトリウムである請求項１に記載の農産物・園芸産物の鮮度保持剤。
【請求項５】
有機酸が、桂皮酸（フェニルプロペン酸）又はその誘導体である請求項１に記載の農産物・園芸産物の鮮度保持剤。
【請求項６】
桂皮酸の誘導体が、ｐ−クマル酸、コーヒー酸及びフェルラ酸から選ばれる少なくとも１種である請求項５に記載の農産物・園芸産物の鮮度保持剤。
【請求項７】
有機酸が、安息香酸又はその誘導体である請求項１に記載の農産物・園芸産物の鮮度保持剤。
【請求項８】
安息香酸の誘導体が、バニリン酸、シリンガ酸及びサリチル酸から選ばれる少なくとも１種である請求項７に記載の農産物・園芸産物の鮮度保持剤。
【請求項９】
有機酸が、ソルビン酸、グルタミン酸、ニコチン酸、ウンデシレン酸、イタコン酸及びアジピン酸から選ばれる少なくとも１種である請求項１に記載の農産物・園芸産物の鮮度保持剤。
【請求項１０】
有機酸が、クエン酸、クエン酸モノナトリウム及びクエン酸ジナトリウムから選ばれる少なくとも１種である請求項１に記載の農産物・園芸産物の鮮度保持剤。
【請求項１１】
有機酸が、酸性基を有するポリマーである請求項１に記載の農産物・園芸産物の鮮度保持剤。
【請求項１２】
酸性基が、カルボキシル基、スルホン酸基、硫酸エステル基及びリン酸エステル基から選ばれる少なくとも１種である請求項１１に記載の農産物・園芸産物の鮮度保持剤。
【手続補正３】
【補正対象書類名】明細書
【補正対象項目名】０００１
【補正方法】変更
【補正の内容】
【０００１】
【発明の属する技術分野】
本発明は、農産物・園芸産物（以下単に「農園芸産物」という）用鮮度保持剤に関する。更に詳しくは各種農園芸産物の輸送中又は貯蔵中に起こる変色や柔軟化等の自動劣化を効果的且つ持続的に遅延させ、農園芸産物の保存性を高め、加えて汚染菌による農園芸産物の品質低下を予防するのにも有効な、安全性の高い農園芸産物の鮮度保持剤の提供を目的とする。
【手続補正４】
【補正対象書類名】明細書
【補正対象項目名】０００６
【補正方法】変更
【補正の内容】
【０００６】
【課題を解決するための手段】
本発明者は、上記の目的を達成すべく鋭意研究の結果、有機酸と炭酸水素塩との混合物を鮮度保持剤として用いることにより、上記の如き従来技術の問題が解決されることを見出し、本発明を完成するに至った。即ち、本発明は、有機酸と炭酸水素塩とを含有することを特徴とする農園芸産物の鮮度保持剤を提供する。
【手続補正書】
【提出日】平成17年1月7日(2005.1.7)
【手続補正１】
【補正対象書類名】明細書
【補正対象項目名】０００７
【補正方法】変更
【補正の内容】
【０００７】
【課題を解決するための手段】
すなわち、本発明は、図１に示すように、シートＳをニップして搬送する搬送部材対１と、前記搬送部材対１にニップされたシートＳの側端を検知する側端検知手段２と、前記搬送部材対１にシートＳがニップされた状態で、当該搬送部材対１をシートＳの搬送方向と直交する方向に変位させる変位手段３と、前記側端検知手段２による検知結果に基づいて、前記変位手段３による前記搬送部材対１の変位量を制御する制御手段４とを備えたシート搬送装置において、前記側端検知手段２が、前記制御手段４による変位制御開始時のシートＳの搬送方向中央部に対応する位置に配置されることを特徴とする。尚、図１（ｂ）は（ａ）の平面説明図である。
【手続補正２】
【補正対象書類名】明細書
【補正対象項目名】００１２
【補正方法】変更
【補正の内容】
【００１２】
また、本発明は別の観点から捉えれば、図１（ａ）（ｂ）に示すように、シートＳをニップして搬送する搬送部材対１と、前記搬送部材対１にニップされたシートＳの側端を検知する側端検知手段２と、前記搬送部材対１にシートＳがニップされた状態で、当該搬送部材対１をシートＳの搬送方向と直交する方向に変位させる変位手段３と、前記側端検知手段２による検知結果に基づいて、前記変位手段３による前記搬送部材対１の変位量を制御する制御手段４とを備えたシート搬送装置において、前記制御手段４が、搬送されるシートＳの搬送方向中央部が前記側端検知手段２に到達した時点で、前記搬送部材対１の変位制御を開始するものということができる。
【手続補正３】
【補正対象書類名】明細書
【補正対象項目名】００１４
【補正方法】変更
【補正の内容】
【００１４】
このような技術的手段において、搬送部材対、側端検知手段、変位手段及び制御手段については、上述したものと同様のものより適宜選定して差し支えない。
そして、第二側端検知手段については、前記側端検知手段の上流側または下流側に配設され、前記側端検知手段と同じ側のシートの側端を検知するものであれば、当該側端検知手段と同様のものから適宜選定して差し支えない。
更に、補正手段については、前記側端検知手段及び前記第二側端検知手段の検知結果に基づいてシートのスキュー量を判断し、これに応じて前記変位手段による前記搬送部材対の変位量を補正するものであれば適宜選定して差し支えない。
【手続補正４】
【補正対象書類名】明細書
【補正対象項目名】００２０
【補正方法】変更
【補正の内容】
【００２０】
本実施の形態において、各感光体ドラム３１の周囲には、感光体ドラム３１を帯電する一様帯電器（図示せず）、感光体ドラム３１上に静電潜像を書き込むレーザ露光器３３、各色成分トナーが収容されて感光体ドラム３１上の静電潜像を可視像化する現像器３４、感光体ドラム３１上の各色成分トナー像を中間転写ベルト４０に転写せしめる一次転写ロール３５及び感光体ドラム３１上の残留トナーなどを除去するクリーナ３６などの電子写真用デバイスが順次配設されている。
また、中間転写ベルト４０は複数（本例では５つ）の張架ロール４１〜４５に張架されて循環搬送されるものであり、例えば張架ロール４１を駆動ロールとすると共に、他の張架ロール４２〜４５を従動ロールとし、更に張架ロール４２〜４５のうちの任意の張架ロール、例えば張架ロール４３を中間転写ベルト４０に張力が付与せしめられるテンションロールとして機能させるようにしたものである。
そして、本実施の形態では、中間転写ベルト４０の張架ロール４４に対向する部位が二次転写部位として設定されており、この中間転写ベルト４０の二次転写部位表面側には二次転写ロール５０が接触配置され、この二次転写ロール５０とこれに対向する張架ロール４４（バックアップロールとして機能）との間に転写バイアスが印加されるようになっている。
【手続補正５】
【補正対象書類名】明細書
【補正対象項目名】００４０
【補正方法】変更
【補正の内容】
【００４０】
尚、本実施の形態にあっては、ａ3はサイド初期位置ＳＩＰと中間転写ベルト４０の側端との間の寸法ｂよりも大きく設定されており、最大画像領域Ｇmaxを超えるサイズのシートＫであっても、シートＫ全域が中間転写ベルト４０と二次転写ロール５０との間にニップされるようになっている。
【手続補正６】
【補正対象書類名】明細書
【補正対象項目名】００４５
【補正方法】変更
【補正の内容】
【００４５】
この後、図１１（ｃ）に示すように、シートＫの先端がレジ出口センサ１１４に到達すると、レジ出口センサ１１４がオン動作し、これに伴って、シート搬送制御装置１１０は、図１０に示すように、シートＫのサイドシフト処理を開始し、サイドシフト機構５８（図６、図７参照）にて、シートＫがニップされた状態のレジロール８３を軸方向に移動させる（図１１（ｄ）参照）。
ここで、サイドシフトセンサ１１５としては、図１４（ａ）に示すように、チャンネル状のセンサケース１１５ａに発光素子１１５ｂと受光素子１１５ｃとを対向配置した所謂フォトカプラ構成のものが用いられており、サイド初期位置ＳＩＰに位置規制されたシートＫの側端部が発光素子１１５ｂと受光素子１１５ｃとの間の空間部を通過するようになっている。
【手続補正７】
【補正対象書類名】明細書
【補正対象項目名】００４８
【補正方法】変更
【補正の内容】
【００４８】
そして、二次転写部位において画像（トナー像）６４が転写されたシートＫは、その後定着器６０を経て、後処理ユニット２３を経てシート排出トレイ２３３に排出される。
また、同一のシートＫに再度画像形成を行う場合は、定着後のシートＫを戻し経路８５経由でシート搬送ユニット９０側へと再搬送する。
【手続補正８】
【補正対象書類名】図面
【補正対象項目名】図１
【補正方法】変更
【補正の内容】
【図１】
2002080146.tif 000001
【手続補正書】
【提出日】平成16年10月28日(2004.10.28)
【手続補正１】
【補正対象書類名】明細書
【補正対象項目名】請求項１１
【補正方法】変更
【補正の内容】
【請求項１１】
前記液状体外診断試薬は、タンパク測定試薬、アルブミン測定試薬、無機リン測定試薬、尿酸測定試薬、コレステロール測定試薬、ビリルビン測定試薬またはクレアチニン測定試薬である、請求項１〜１０記載の液状試薬用容器。
【手続補正２】
【補正対象書類名】明細書
【補正対象項目名】０００４
【補正方法】変更
【補正の内容】
【０００４】
【発明が解決しようとする課題】
これらのガラス製およびプラスチック製の試薬容器は、上記体外診断試薬の保管性には優れているが、試薬使用後の容器を廃棄する点において問題があった。つまり、使用後の空容器がその体積を減ずることなく廃棄されるため膨大な量のゴミ（ガサ）になる、内容物が試薬であるため、食品類とは異なり、リサイクル処理ができず、埋め立てゴミとして処理されなければならないなどの問題がある。
【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】 フェノール類を１重量％から５０重量％の範囲で、エタノール可溶フェノール樹脂を１０重量％から９９重量％の範囲で含有し、エタノール不溶フェノール樹脂の含有量が５０重量％以下である、架橋硬化したフェノール樹脂を原料とするフェノール樹脂組成物。
【請求項２】 架橋硬化したフェノール樹脂がフェノール樹脂発泡体である請求項１記載のフェノール樹脂組成物。
【請求項３】 エタノール可溶フェノール樹脂１００重量部に対して、可塑化剤を１重量部から３０重量部の範囲で含有する請求項１又は２記載のフェノール樹脂組成物。
【請求項４】 架橋硬化したフェノール樹脂１００重量部に対してフェノール類を５０から５００重量部の割合で添加し混練することを特徴とする請求項１又は２記載のフェノール樹脂組成物の製造方法。
【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
マゼンタ色素、イエロー色素、及びシアン色素を含んでなる色素セットであって、
マゼンタ色素の正規化された分光透過濃度分布曲線が、５２０ｎｍのところで濃度０．２５〜０．９３、５４０ｎｍのところで濃度０．９〜１．０、そして５６０ｎｍのところで濃度０．９〜１．０を有し、イエロー色素の正規化された分光透過濃度分布曲線が、４５０ｎｍのところで濃度０．９〜１．０、そして４７０ｎｍのところで濃度０．８〜１．０を有する色素セット。
【請求項２】
前記マゼンタ色素の分光曲線が、さらに５１０ｎｍのところで濃度０．２５〜０．８６を有する請求項１に記載の色素セット。
【請求項３】
前記マゼンタ色素の分光曲線が、さらに５００ｎｍのところで濃度０．２５〜０．７９を有する請求項２に記載の色素セット。
【請求項４】
前記イエロー色素の分光曲線が、さらに４９０ｎｍのところで濃度０．５〜０．９を有する請求項１に記載の色素セット。
【請求項５】
前記シアン色素が、６００ｎｍのところで濃度０．６６〜０．９４、そして６１０ｎｍのところで濃度０．８３〜１．０を有する請求項１に記載の色素セット。
【請求項６】
前記シアン色素が、５９０ｎｍのところで濃度０．５〜０．８９を追加して有する請求項５に記載の色素セット。
【請求項７】
前記シアン色素が、５８０ｎｍのところで濃度０．３３〜０．８３を追加して有する請求項６に記載の色素セット。
【請求項８】
請求項１に記載の色素セットを含んでなるインクジェットカートリッジ。
【請求項９】
請求項１に記載の色素セットを用いることを含んでなる画像形成方法。
【手続補正書】
【提出日】平成16年2月27日(2004.2.27)
【手続補正１】
【補正対象書類名】明細書
【補正対象項目名】請求項１３
【補正方法】変更
【補正の内容】
【請求項１３】
成形物、コーティング又は積層物を製造するために、請求項１〜５記載のリン変性されたエポキシ樹脂又は請求項６〜１２記載の方法に従って得られたリン変性されたエポキシ樹脂を使用する方法。
【手続補正２】
【補正対象書類名】明細書
【補正対象項目名】請求項１４
【補正方法】変更
【補正の内容】
【請求項１４】
請求項１〜５記載のリン変性されたエポキシ樹脂又は請求項６〜１２記載の方法に従って得られたリン変性されたエポキシ樹脂を用いて製造された成形物、コーティング又は積層物。
【手続補正３】
【補正対象書類名】明細書
【補正対象項目名】００２４
【補正方法】変更
【補正の内容】
【００２４】
更にポリエポキシド化合物として、（ポリ）グリシジルエステルが挙げられ、これはエピクロルヒドリン又は類似のエポキシ化合物と脂肪族、脂環式又は芳香族ポリカルボン酸、たとえばシュウ酸、アジピン酸、グルタル酸、フタル酸、イソフタル酸、テレフタル酸、テトラヒドロフタル酸又はヘキサヒドロフタル酸、２，６- ナフタレンジカルボン酸及び二量化された脂肪酸との反応によって得られる。これらの例としては、グリシジルテレフタレート及びおよびジグリシジルヘキサヒドロフタレートである。
【手続補正４】
【補正対象書類名】明細書
【補正対象項目名】００２７
【補正方法】変更
【補正の内容】
【００２７】
使用されるポリエポキシド化合物は、ビスフエノールＡ、ビスフエノールＦ及びビスフエノールＳ（これらのビスフエノールとエピクロロ（ハロ）ヒドリンの反応生成物）又はそのオリゴマーを主体とするビスグリシジルエーテル、フエノール- ホルムアルデヒド及び（又は）クレゾールホルムアルデヒドノボラックのポリグリシジルエーテル、及びフタル、イソフタル、テレフタル、テトラヒドロフタル及び（又は）ヘキサヒドロフタル酸の及びトリメリット酸のジグリジルエステル、芳香族アミン及びヘテロ環状窒素塩基のＮ- グリシジル化合物、たとえばＮ，Ｎ- ジグリシジルアニリン、Ｎ，Ｎ，Ｏ- トリグリシジル -ｐ- アミノフエノール、トリグリシジルイソシアヌレート及びＮ，Ｎ，Ｎ',Ｎ'-テトラグリシジルビス（ｐ- アミノフエニル）メタン、ヒダントインエポキシ樹脂及びアラシド(aracid)エポキシ樹脂、そして多価脂肪族アルコール、たとえば１，４- ブタンジオール、トリメチロールプロパン及びポリアルキレングリコールのジ- 又はポリグリシジル化合物であるのが好ましい。


【手続補正５】
【補正対象書類名】明細書
【補正対象項目名】００３８
【補正方法】変更
【補正の内容】
【００３８】
表１中にＵＬ９４に従う防火試験の結果を示す。
【表１】
1998095834.tif 000001
【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
モノ−、ビス−またはトリスアシルホスフィンオキシド化合物とα−ヒドロキシケトン化合物とからなる分子錯化合物。
【請求項２】
モノ−、ビス−またはトリスアシルホスフィンオキシド化合物が次式Ｉ：
【化１】
1998095788.tif 000001
（式中、Ｒ1 およびＲ2 は互いに独立して炭素原子数１ないし１２のアルキル基、ベンジル基、未置換またはハロゲン原子、炭素原子数１ないし８のアルキル基および／または炭素原子数１ないし８のアルコキシ基により１ないし４回置換されたフェニル基を表すか、またはシクロヘキシル基または次式：ＣＯＲ3 で表される基を表すか、または
Ｒ1 は−ＯＲ4 または次式：
【化２】
1998095788.tif 000002
で表される基を表し、
Ｒ3 は未置換または炭素原子数１ないし８のアルキル基、炭素原子数１ないし８のアルコキシ基、炭素原子数１ないし８のアルキルチオ基および／またはハロゲン原子により１ないし４回置換されたフェニル基を表すか、または次式：
【化３】
1998095788.tif 000003
で表される基を表し、
Ｒ4 は炭素原子数１ないし８のアルキル基、フェニル基またはベンジル基を表し、
Ｙはフェニレン基、炭素原子数１ないし１２のアルキレン基またはシクロヘキシレン基を表し、そして
Ｘは炭素原子数１ないし１８のアルキレン基または次式：
【化４】
1998095788.tif 000004
で表される基を表す）で表される化合物である請求項１記載の分子錯化合物。
【請求項３】
α−ヒドロキシケトン化合物が次式ＩＩ：
【化５】
1998095788.tif 000005
（式中、
Ｒ11およびＲ12は互いに独立して水素原子、炭素原子数１ないし６のアルキル基またはフェニル基を表すか、または
Ｒ11およびＲ12はそれらが結合されている炭素原子と一緒になってシクロヘキシル環を形成し、
Ｒ13はＯＨを表し、
Ｒ14は水素原子、炭素原子数１ないし１２のアルキル基、炭素原子数１ないし１２のアルコキシ基、−ＯＣＨ2 ＣＨ2 −ＯＲ15、次式：ＣＨ2 ＝Ｃ（ＣＨ3 ）−または
【化６】
1998095788.tif 000006
で表される基を表し、ｌは２ないし１０の数を表し、Ｂは次式：
【化７】
1998095788.tif 000007
で表される基を表し、そして
Ｒ15は水素原子、
【化８】
1998095788.tif 000008
で表される基を表す）で表される化合物である請求項１記載の分子錯化合物。
【請求項４】
（ａ）少なくとも１種のエチレン性不飽和光重合性化合物、および
（ｂ）光開始剤として、少なくとも１種の請求項１記載の分子錯化合物を含有する光重合性組成物。
【請求項５】
成分（ｂ）の他に、他の添加剤を含有する請求項４記載の光重合性組成物。
【請求項６】
光開始剤として、成分（ｂ）を０．０１５−１５重量％含有する請求項４記載の光重合性組成物。
【請求項７】
請求項４記載の組成物を２００ないし６００ｎｍの範囲の光で照射することからなる、エチレン性不飽和二重結合を有する化合物を光重合する方法。
【請求項８】
塗料、印刷インキ、印刷版、歯科用組成物およびレジスト材を製造するため、および画像記録材料として、特にホログラフ記録材のために請求項４記載の組成物を使用する方法。
【請求項９】
請求項４記載の組成物を少なくとも１つの面にコーティングしてなるコーティングされた基材。
【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
次の式
【化１】
1998095733.tif 000001
［式中、Ｒ１およびＲ２は、同一または異なって水素原子またはメチル基を示す。］で表されるリン酸ジエステル化合物またはその薬理学的に許容できる塩を含有してなる、にきび治療薬。
【手続補正２】
【補正対象書類名】明細書
【補正対象項目名】０００７
【補正方法】変更
【補正の内容】
【０００７】
【化２】
1998095733.tif 000002
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
式Ｉ：
【化１】
1998095778.tif 000001
［式中、Ｒ1は、−Ｈ、−ＯＨ、−Ｏ（Ｃ1−Ｃ4アルキル）、−ＯＣＯＡr（ここで、Ａrはフェニルまたは置換フェニルである）、−Ｏ（ＣＯ）Ｏ−Ａr（ここで、Ａrはフェニルまたは置換フェニルである）、−ＯＣＯ（Ｃ1−Ｃ6アルキル）、−Ｏ（ＣＯ）Ｏ（Ｃ1−Ｃ6アルキル）、または−ＯＳＯ2（Ｃ4−Ｃ6アルキル）であり；
Ｒ2は、−Ｈ、−Ｆ、−Ｃl、−ＯＨ、−Ｏ（Ｃ1−Ｃ4アルキル）、−ＯＣＯＡr（ここで、Ａrはフェニルまたは置換フェニルである）、−Ｏ（ＣＯ）ＯＡr（ここで、Ａrはフェニルまたは置換フェニルである）、−ＯＣＯ（Ｃ1−Ｃ6アルキル）、−Ｏ（ＣＯ）Ｏ（Ｃ1−Ｃ6アルキル）、または−ＯＳＯ2−（Ｃ4−Ｃ6アルキル）であり；
Ｒ3及びＲ4は独立して−Ｈ、−Ｆ、−Ｃl、−ＣＨ3、−ＯＨ、−Ｏ（Ｃ1−Ｃ4アルキル）、−ＯＣＯＡｒ（Ａｒはフェニルまたは置換フェニル、−ＯＣＯ（Ｃ1−Ｃ6アルキル）、−Ｏ（ＣＯ）Ｏ（Ｃ1−Ｃ6アルキル）、または−ＯＳＯ2−（Ｃ4−Ｃ6アルキル）であり（ただし、Ｒ3とＲ4が共に水素であることはない）；
ｎは２または３であり；
Ｒ5は１−ピペリジニル、１−ピロリジニル、メチル−１−ピロリジニル、ジメチル−１−ピロリジニル、４−モルホリノ、ジメチルアミノ、ジエチルアミノ、または１−ヘキサメチレンイミノである］
で示される化合物、またはその医薬的に許容される塩もしくは溶媒和物。
【請求項２】
請求項１に記載の式Ｉで示される化合物を活性成分とし、医薬的に許容される賦形剤、担体、または希釈剤と一緒に含む抗閉経後症候群医薬製剤。
【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  外周面に第一のフランジを、内周面に複列の外輪軌道を、それぞれ設けた外輪と、端部外周面に第二のフランジを設けたシャフト部材と、外周面に内輪軌道を有し上記シャフト部材に外嵌した、少なくとも１個の内輪と、この内輪を含んで上記シャフト部材と共に回転する部分の外周面に設けた第一、第二の内輪軌道と上記複列の外輪軌道との間に、それぞれ複数個ずつ設けた転動体とを備え、上記シャフト部材の端部に形成した円筒部の一部を直径方向外方にかしめ広げ、このかしめ広げた部分により上記内輪を直接又はスペーサリングを介して抑え付ける事により、上記内輪を上記シャフト部材に固定する車輪支持用転がり軸受ユニットに於いて、上記内輪若しくはこの内輪よりも上記シャフト部材の先端寄りに外嵌したスペーサリングの開口周縁部で上記円筒部をかしめ広げた部分の外周面が押し付けられる部分を、開口端に向かう程内径が大きくなる、円錐凹面状の傾斜面とした事を特徴とする車輪支持用転がり軸受ユニット。
【手続補正２】
【補正対象書類名】明細書
【補正対象項目名】００１１
【補正方法】変更
【補正の内容】
【００１１】
【課題を解決するための手段】
本発明の車輪支持用転がり軸受ユニットは何れも、従来の、或は先発明の車輪支持用転がり軸受ユニットと同様に、外周面に第一のフランジを、内周面に複列の外輪軌道を、それぞれ設けた外輪と、端部外周面に第二のフランジを設けたシャフト部材と、外周面に内輪軌道を有し上記シャフト部材に外嵌した、少なくとも１個の内輪と、この内輪を含んで上記シャフト部材と共に回転する部分の外周面に設けた第一、第二の内輪軌道と上記複列の外輪軌道との間に、それぞれ複数個ずつ設けた転動体とを備える。そして、上記シャフト部材の端部に形成した円筒部の一部を直径方向外方にかしめ広げ、このかしめ広げた部分により上記内輪を直接又はスペーサリングを介して抑え付ける事により、上記内輪を上記シャフト部材に固定している。
特に、本発明の車輪支持用転がり軸受ユニットに於いては、上記内輪若しくはこの内輪よりも上記シャフト部材の先端寄りに外嵌したスペーサリングの開口周縁部で上記円筒部をかしめ広げた部分の外周面が押し付けられる部分を、開口端に向かう程内径が大きくなる、円錐凹面状の傾斜面としている。
【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
（ａ）卜ナーカートリッジである郵送対象の製品と、
（ｂ）該製品に固定され、該製品を郵送する際の製品用の箱として使用されるメーラーエンクロージャとを設けて成る製品返送用システム。
【請求項２】
前記製品の機能的動作が妨げられない態様で、前記メーラーエンクロージャは前記製品に固定されている、請求項１に記載の製品返送用システム。
【請求項３】
前記メーラーエンクロージャは、前記製品の一体化した一部として前記製品に固定されている、請求項１に記載の製品返送用システム。
【請求項４】
前記メーラーエンクロージャは、選択的に、（ｉ）前記製品に脱着可能に固定されているか、あるいは（ｉｉ）前記製品に永続的に固定されているかである、請求項１に記載の製品返送用システム。
【請求項５】
前記メーラーエンクロージャの一部は、前記メーラーエンクロージャの残り部分が前記製品をほぼ包囲して収納するように配置され、前記製品を郵送するために前記メーラーエンクロージャを使用する場合は目標場所から参照できるように前記製品上の指定された目標場所に永続的に固定されている、請求項１に記載の製品返送用システム。
【請求項６】
前記メーラーエンクロージャは、（ｉ）前記製品のキャビティ内、（ｉｉ）前記製品に取り付けられたポケット内、または（ｉｉｉ）前記製品の表面に直接固定されている、請求項１に記載の製品返送用システム。
【請求項７】
前記メーラーエンクロージャは、前記製品のキャビティ内に固定されており、さらに前記キャビティ及び前記メーラーエンクロージャヘのアクセスを許可又は禁止するためのアクセスカバーを備えている、請求項１に記載の製品返送用システム。
【請求項８】
前記メーラーエンクロージャは、折り畳み可能、収納可能、又は膨張可能である材料から形成され、前記製品と共に隆起するのを最小限とするため、及び前記製品と共に格納しておくために第１の状態において折り畳まれ、収縮され、あるいは空気が抜かれており、前記製品を郵送するために前記メーラーエンクロージャが使用されている場合には前記製品をほぼ包囲して収納することを目的とした第２の状態に広げられ、収縮を解除され、または膨張されるようになっている、請求項１に記載の製品返送用システム。
【請求項９】
前記メーラーエンクロージャは、前記製品を郵送するためにメーラーエンクロージャが使用される場合には前記製品をほぼ包囲して収納するように形成されている、請求項１に記載の製品返送用システム。
【請求項１０】
前記メーラーエンクロージャのアドレス部分は、前記製品を郵送するために前記メーラーエンクロージャが使用される場合にはアドレスを表示することに利用可能である、請求項１に記載の製品返送用システム。
【請求項１１】
前記メーラーエンクロージャのアドレス部分は、該アドレス部分の上に、又は該アドレス部分の一部として見えるように配置されている、事前にアドレス指定されたアドレスを有している、請求項１０に記載の製品返送用システム。
【請求項１２】
その上に事前にアドレス指定されたアドレスが見えるように配置されているラベルをさらに備え、該ラベルは、前記製品を郵送するために前記メーラーエンクロージャが使用される場合に、前記メーラーエンクロージャのアドレス部分に取り付け可能である、請求項１０に記載の製品返送用システム。
【請求項１３】
（ａ）代わりに、（ｉ）製品内に形成される１つのキャビティまたは（ｉｉ）製品に取り付けられる１つのポケットと、
（ｂ）前記それぞれのキャビティまたはポケット内に配置される郵送手段と、
（ｃ）前記それぞれのキャビティまたはポケット内に郵送手段を固定し、それにより該製品を郵送する際に、前記郵送手段が少なくともそこからほぼ取り外され、該製品を郵送するために使用される手段とを備えている、トナーカートリッジである製品。
【請求項１４】
前記郵送手段の残り部分が該製品をほぼ包囲して収納するように配置され、該製品を郵送するために前記郵送手段が使用されるときに目標場所から参照できるように、前記郵送手段の一部が該製品上の指定された目標場所で該製品に永続的に固定されている、請求項１３に記載の製品。
【請求項１５】
該製品がその中に形成されるキャビティを有し、前記郵送手段を固定する手段が、前記キャビティ及び前記郵送手段へのアクセスを許可又は禁止するためのキャビティのアクセスカバーを備えている、請求項１３に記載の製品。
【請求項１６】
前記郵送手段が、代わりに折り畳み可能、収縮可能または膨張可能である材料から形成され、格納の目的で前記それぞれのキャビティまたはポケット手段の中でそれぞれ折り畳まれ、収縮され、または空気が抜かれており、該製品を郵送するために前記郵送手段を使用する際に該製品をほぼ包囲して収納する目的で前記それぞれのキャビティまたはポケット手段から取り外される場合にそれぞれ広げられ、収縮を解除され、または膨張されるようになっている、請求項１３に記載の製品。
【請求項１７】
前記郵送手段が、該製品を郵送するために使用される際に、アドレスを表示するのに使用するためのアドレス部分を有し、該アドレス部分が、選択的に（ｉ）前記アドレス部分の上に、又は前記アドレス部分の一部として見えるように配置される、事前にアドレス指定されたアドレス、または（ｉｉ）前記アドレス部分の上に配置され、その上に見えるように事前にアドレス指定されたアドレスが配置されるラベルを備えている、請求項１３に記載の製品。
【請求項１８】
（ａ）トナーカートリッジと、
（ｂ）返信用メーラーエンクロージャと、
（ｃ）前記返信用メーラーエンクロージャが、前記トナーカートリッジを郵送する際に該トナーカートリッジをほぼ包囲して収納すべく操作及び使用できるように前記返信用メーラーエンクロージャを前記トナーカートリッジに固定する手段と、
を備えている統合型トナーカートリッジ及び返信用メーラー。
【請求項１９】
（ａ）郵送対象の製品であって、キャビティ及び該キャビティヘのアクセスを許可又は禁止するためのキャビティのアクセスカバーを有する製品と、
（ｂ）前記アクセスカバーによって前記キャビティ内に脱着可能に取り付けられ、前記製品を郵送する際に前記製品用のメーラーとして使用するためのメーラーエンクロージャとを設けて成る製品返送用システム。
【請求項２０】
（ａ）製品内に形成されるキャビティと、
（ｂ）該キャビティヘのアクセスを許可又は禁止する前記キャビティのためのアクセスカバーと、
（ｃ）前記キャビティ内に配置され、該製品を郵送するために少なくともそこからほぼ取り外され、該製品を郵送する際に、該製品を郵送するために使用できる郵送手段と、
を備えている製品。
【手続補正書】
【提出日】平成17年1月31日(2005.1.31)
【手続補正１】
【補正対象書類名】明細書
【補正対象項目名】発明の名称
【補正方法】変更
【補正の内容】
【発明の名称】アクリル繊維およびその製造方法
【手続補正２】
【補正対象書類名】明細書
【補正対象項目名】特許請求の範囲
【補正方法】変更
【補正の内容】
【特許請求の範囲】
【請求項１】
単繊維繊度が０．３デニール以下または繊維断面の最大厚みが３．５μｍ以下であって、引っ張り強度が５ｇ／ｄ以上、伸度が１５％以上であることを特徴とするアクリル繊維。
【請求項２】
湿式紡糸法において、紡糸ドラフト１〜３倍、湿熱延伸倍率５〜１０倍、乾熱延伸倍率１．２〜３倍で紡糸する、アクリル繊維の製造方法。
【手続補正３】
【補正対象書類名】明細書
【補正対象項目名】０００１
【補正方法】変更
【補正の内容】
【０００１】
【発明の属する技術分野】
本発明は、高強力極細アクリル繊維及びその製造方法に関する。
【手続補正４】
【補正対象書類名】明細書
【補正対象項目名】０００２
【補正方法】変更
【補正の内容】
【０００２】
【従来の技術】
アクリル繊維は、バルキー性、鮮明な染色性、良好な染色堅牢性、優れた耐光性等の長所を有することから、セーター、ジャージー、ソックス等の衣料分野、毛布、カーペット、フェイクファー等の建寝装分野等に広く用いられているが、アクリル繊維の別の用途として、極細アクリル繊維の短繊維が、大きな比表面積、親水性と疎水性の適度のバランス、熱での非溶融性、優れた分繊性或いは分散性を備えることから、フィルター分野、孔版印刷原紙分野、樹脂等との繊維複合材料分野等の工業用途にも応用されている。
【手続補正５】
【補正対象書類名】明細書
【補正対象項目名】０００６
【補正方法】変更
【補正の内容】
【０００６】
【課題を解決するための手段】
本発明の第１の要旨は、単繊維繊度が０．３デニール以下または繊維断面の最大厚みが３．５μｍ以下であって、引っ張り強度が５ｇ／ｄ以上、伸度が１５％以上であることを特徴とするアクリル繊維にあり、第２の要旨は、湿式紡糸法において、紡糸ドラフト１〜３倍、湿熱延伸倍率５〜１０倍、乾熱延伸倍率１．２〜３倍で紡糸する、アクリル繊維の製造方法にある。
【手続補正６】
【補正対象書類名】明細書
【補正対象項目名】０００８
【補正方法】変更
【補正の内容】
【０００８】
本発明の高強力極細アクリル繊維は、シート状物或いは繊維複合材料等の素材として工業用途へ適用する上で、形態がカット長１０ｍｍ以下の短繊維であることが好ましく、形態がカット長１０ｍｍ以下の短繊維であることにより良好な分繊性或いは分散性を示す。カット長が１０ｍｍを超えると分繊工程或いは分散工程において繊維同士の絡まりを生じ易く、分繊性或いは分散性が悪化する。
【手続補正７】
【補正対象書類名】明細書
【補正対象項目名】００１２
【補正方法】変更
【補正の内容】
【００１２】
アクリロニトリル系ポリマーの分子量は、通常アクリル系繊維の製造に用いられる範囲のものであれば特に限定されないが、分子量が低すぎると、紡糸性が低下すると同時に原糸の糸質も悪化する傾向にあり、分子量が高すぎると、紡糸原液に最適粘度を与えるポリマー濃度が低くなり、生産性が低下する傾向にあり、適宜紡糸条件に従って選択される。
【手続補正８】
【補正対象書類名】明細書
【補正対象項目名】００１４
【補正方法】変更
【補正の内容】
【００１４】
溶液紡糸法としては、乾式紡糸法、乾湿式紡糸法或いは湿式紡糸法が用いられる。本発明の高強力極細アクリル繊維の５ｇ／ｄ以上の引っ張り強度及び１５％以上の伸度は、例えば湿式紡糸法において、紡糸ドラフトを１〜３倍とし、湿熱延伸での延伸倍率を５〜１０倍及び乾熱延伸での延伸倍率を１．２〜３倍とすることにより得ることができる。製造された高強力極細アクリル繊維は、カット長１０ｍｍ以下に使用目的に合わせて任意の手段によりカットして短繊維とされる。
【手続補正９】
【補正対象書類名】明細書
【補正対象項目名】００２２
【補正方法】変更
【補正の内容】
【００２２】
得られた繊維の強伸度を測定した結果及び繊維をカット長３ｍｍ、７ｍｍ及び１５ｍｍにカットし、この短繊維を用いて抄紙して分繊・分散性及び引っ張り強度の測定の結果を表１に示した。
【手続補正１０】
【補正対象書類名】明細書
【補正対象項目名】００２３
【補正方法】変更
【補正の内容】
【００２３】
（実施例７〜８、比較例５〜６）
水系懸濁重合法により得たアクリロニトリル９４重量％及びアクリル酸メチル６重量％からなる分子量１２万のアクリロニトリル系ポリマーを、ジメチルアセトアミドに溶解し、ポリマー濃度２５重量％のジメチルアセトアミド溶液の紡糸原液を調製した。この紡糸原液を孔形状が十字及びＹ字の紡糸ノズルにて、ジメチルアセトアミドの水溶液の凝固浴、紡糸ドラフト１．５倍、湿熱延伸倍率５倍、乾熱延伸倍率１．５倍の条件で湿式紡糸し、単繊維繊度が１．２デニール、０．３デニールの十字及びＹ字断面繊維を得た。得られた繊維の強伸度を測定した
結果及び繊維をカット長３ｍｍにカットし、この短繊維を用いて抄紙して分繊・分散性及び引っ張り強度の測定の結果を表１に示した。
【手続補正１１】
【補正対象書類名】明細書
【補正対象項目名】００２５
【補正方法】変更
【補正の内容】
【００２５】
【発明の効果】
本発明の高強力極細アクリル繊維は、高い強度を有する力学特性と分繊・分散共に経済的にも優れ工業用途に適用可能なものであり、その短繊維は、分繊・分散性に優れ、シート状物並びに繊維複合材料の素材として好適に用いられ、本発明の高強力極細アクリル繊維短繊維を含むシート状物は、フィルタ用、孔版板印刷原紙等に用いられ、また本発明の高強力極細アクリル繊維短繊維を含む繊維複合材料は、工業用の各種用途に用いられる。
【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】
支持体上に、粉末を用いて前記支持体をプラズマスプレーコーティングすることによって形成された、歪み許容性セラミックコーティングであって、
前記粉末は、イットリウム、カルシウム、マグネシウム及びセリウムの酸化物から成る群から選択される第１の金属酸化物の粒子、及び、ジルコニウム、アルミニウム及びクロムの酸化物から成る群から選択される第２の金属酸化物の粒子を含み、
前記粒子は、４０ミクロン以下の平均粒子サイズを有し、
前記コーティングは、冷却及び固化により、本質的にマクロクラックを含まないように形成されることを特徴とする歪み許容性セラミックコーティング。
【請求項２】
前記粒子は、２０ミクロン〜４０ミクロンの範囲内の平均粒子サイズを有することを特徴とする請求項１に記載の歪み許容性セラミックコーティング。
【請求項３】
前記支持体は、ボンドコート有する金属物品であり、前記ボンドコートは前記金属物品に直接適用されており、前記セラミックコーティングは前記ボンドコート上に堆積されていることを特徴とする請求項１又は２に記載の歪み許容性セラミックコーティング。
【請求項４】
前記支持体は、タービン羽根であることを特徴とする請求項１〜３のいずれかの項に記載の歪み許容性セラミックコーティング。
【請求項５】
請求項１〜４のいずれかの項に記載のコーティングを作製するための方法であって、プラズマトーチを用いて前記粉末を熱的に溶融すること、及び、その溶融された粉末を堆積させて支持体上に層を形成すること、を含み、前記粉末は、イットリウム酸化物安定化ジルコニウム酸化物の粒子を含むことを特徴とする方法。
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  包装機械の延伸ヘッドにおいて、
ベースプレートと、
前記ベースプレートに取り付けられた支持手段と、
包装フィルムの供給ロールと、
長手方向ローラ軸線を間に形成する第１の端部と第２の端部とを有する第１の張力ローラであって、当該第１の張力ローラの前記第１の端部は前記ベースプレート上に回転自在に取り付けられる第１の張力ローラと、
長手方向ローラ軸線を間に形成する第１の端部と第２の端部とを有する第２の張力ローラであって、当該第２の張力ローラの前記第１の端部は前記ベースプレート上に回転自在に取り付けられる第２の張力ローラと、を有し、
前記第２の張力ローラは、第１の平面に配置され前記第１の張力ローラと前記第２の張力ローラとの間に形成される空間であって、前記包装フィルムの供給ロールから前記包装フィルムが引き出されるときに、前記包装フィルムの一部が通過できる空間を前記第１の張力ローラとともに形成するように、第１の張力ローラと協働し、前記包装フィルムが前記包装フィルムの供給ロールから引き出され前記第１の張力ローラおよび前記第２の張力ローラのまわりに送られるときに、所定の大きさの張力が前記包装フィルムにもたらされ、
当該包装機関の延伸ヘッドは、更に、
前記第１の張力ローラと前記第２の張力ローラとの間に形成される前記空間が配置される前記第１の平面に実質的に平行な第２の平面のみに実質的に延在する第１の固定手段であって、前記支持手段に前記第１の張力ローラの前記第２の端部を固定する第１の固定手段と、
前記第１の張力ローラと前記第２の張力ローラとの間に形成される前記空間が配置される前記第１の平面と前記第１の固定手段が配置される前記第２の平面とに実質的に平行な第３の平面のみに延在する第２の固定手段であって、前記支持手段に前記第２の張力ローラの前記第２の端部を固定し、前記第１の固定手段と当該第２の固定手段との間に、前記第１の張力ローラと前記第２の張力ローラとの間に形成される前記空間の両側に通じる通路を形成するように前記第１の固定手段と協働する第２の固定手段と、を有し、
前記包装フィルムの前記供給ロールから引き出された前記包装フィルムを、前記第１の平面および前記通路内に軸線方向に前記第１の張力ローラと前記第２の張力ローラとの間に挿入できるように、前記第１の張力ローラの第２の端部と前記第２の張力ローラの前記第２の端部との間および前記第１の固定手段と前記第２の固定手段との間に、前記第１の張力ローラと前記第２の張力ローラの前記長手方向ローラ軸線に実質的に平行で且つ前記第２の平面および前記第３の平面に平行な軸線方向開口空間であって、前記第１の張力ローラの前記第２の端部および前記第２の張力ローラの前記第２の端部を越えた位置から始まる軸線方向位置から、前記第１の張力ローラと前記第２の張力ローラとの間に形成される前記空間を通して、前記ベースプレート上に回転自在に取り付けられた前記第１の張力ローラの前記第１の端部と前記第２の張力ローラの前記第１の端部の方に向かい延在する軸線方向開口空間が形成される、包装機械の延伸ヘッド。
【請求項２】  更に、前記ベースプレートに取り付けられ、前記第１と第２の張力ローラを回転駆動するための回転駆動手段を有する請求項１に記載の延伸ヘッド。
【請求項３】  前記回転駆動手段が、
モータと、
前記モータに連結され該モータにより駆動される１つのスプロケットホイールを含む複数のスプロケットホイールと、
前記複数のスプロケットホイールの各々を前記１つのスプロケットホイールに相互連結するスプロケットホイールチェーンとを有する請求項２に記載の延伸ヘッド。
【請求項４】  前記支持手段が、前記ベースプレートにおいて第１の位置に固定され実質的に鉛直方向に延びる第１のフレーム部材と、前記ベースプレートにおいて第２の位置に固定され実質的に鉛直方向に延びる第２のフレーム部材とを有し、
前記第１のフレーム部材に前記第１の張力ローラの前記第２の端部が固定され、前記第２のフレーム部材に前記第２の張力ローラの前記第２の端部が固定されて成る請求項１に記載の延伸ヘッド。
【請求項５】  前記第１の張力ローラの前記第２の端部と第２の張力ローラの前記第２の端部とを前記第１と第２のフレーム部材に固定する前記第１と第２の固定手段が、第１と第２のブラケット部材を有する請求項４に記載の延伸ヘッド。
【請求項６】  更に、鉛直モードにおいて前記延伸ヘッドが上下動し、前記包装フィルムを適用して該包装フィルムにより対象物を包装できるように、前記包装機械の鉛直方向に延びる前記包装機械の支柱を収納するための、前記第１のフレーム部材に取り付けられたハウジングを具備する請求項４に記載の延伸ヘッド。
【請求項７】  更に、前記包装フィルムの前記供給ロールを前記ベースプレートに取付けるための手段を具備する請求項１に記載の延伸ヘッド。